【手続補正書】
【提出日】平成24年2月24日(2012.2.24)
【手続補正１】
【補正対象書類名】特許請求の範囲
【補正対象項目名】全文
【補正方法】変更
【補正の内容】
【特許請求の範囲】
【請求項１】
低密度パリティ検査（ＬＤＰＣ）符号を使用するシステムにおけるチャネル符号化方法であって、
情報ビットを複数のビットグループに区分するステップと、
短縮される情報ビットの数を決定するステップと、
前記決定された短縮される情報ビットの数に基づいて短縮されるビットグループの数を決定するステップと、
予め定められた順序に従って前記決定されたビットグループの情報ビットを短縮するステップと、
前記短縮された情報ビットを符号化するステップと、を有することを特徴とするチャネル符号化方法。
【請求項２】
前記短縮される情報ビットの数を決定するために短縮により取得される情報ビット数を決定するステップを更に有することを特徴とする請求項１に記載のチャネル符号化方法。
【請求項３】
変調方式が１６ＱＡＭであり、符号語の長さが１６２００である場合に、前記予め定められた順序は、１８、１７、１６、１５、１４、１３、１２、１１、４、１０、９、８、７、３、２、１、６、５、１９、及び０であることを特徴とする請求項１に記載のチャネル符号化方法。
【請求項４】
変調方式が６４ＱＡＭであり、符号語の長さが１６２００である場合に、前記予め定められた順序は、１８、１７、１６、４、１５、１４、１３、１２、３、１１、１０、９、２、８、７、１、６、５、１９、及び０であることを特徴とする請求項１に記載のチャネル符号化方法。
【請求項５】
ビットグループの長さが３６０であり、情報ビットの長さが７２００である場合に、
前記予め定められた順序に従って０番目のビットグループから（ｍ−１）番目のビットグループまでのビットグループの情報ビットを短縮するステップと、
前記予め定められた順序に従ってｍ番目のビットグループ内の（７２００−Ｋ２−３６０ｍ）情報ビットを短縮するステップと、を有し、
Ｋ２は、短縮により取得される情報ビットの数であり、（７２００−Ｋ２）は、短縮される情報ビットの数であり、
2011514049.tif 000001
であることを特徴とする請求項１に記載のチャネル符号化方法。
【請求項６】
低密度パリティ検査（ＬＤＰＣ）符号を使用するシステムにおけるチャネル符号化装置であって、
情報ビットを複数のビットグループに区分し、短縮される情報ビットの数を決定し、前記決定された短縮される情報ビットの数に基づいて短縮されるビットグループの数を決定し、予め定められた順序に従って前記決定されたビットグループの情報ビットを短縮する短縮パターン適用部と、
前記短縮された情報ビットを符号化する符号化器と、を備えることを特徴とするチャネル符号化装置。
【請求項７】
前記短縮パターン適用部は、前記短縮される情報ビットの数を決定するために短縮により取得される情報ビット数を決定することを特徴とする請求項６に記載のチャネル符号化装置。
【請求項８】
変調方式が１６ＱＡＭであり、符号語の長さが１６２００である場合に、前記予め定められた順序は、１８、１７、１６、１５、１４、１３、１２、１１、４、１０、９、８、７、３、２、１、６、５、１９、及び０であることを特徴とする請求項６に記載のチャネル符号化装置。
【請求項９】
変調方式が６４ＱＡＭであり、符号語の長さが１６２００である場合に、前記予め定められた順序は、１８、１７、１６、４、１５、１４、１３、１２、３、１１、１０、９、２、８、７、１、６、５、１９、及び０であることを特徴とする請求項６に記載のチャネル符号化装置。
【請求項１０】
ビットグループの長さが３６０であり、情報ビットの長さが７２００である場合に、
前記短縮パターン適用部は、前記予め定められた順序に従って０番目のビットグループから（ｍ−１）番目のビットグループまでのビットグループの情報ビットを短縮し、前記予め定められた順序に従ってｍ番目のビットグループ内の（７２００−Ｋ２−３６０ｍ）情報ビットを短縮し、
Ｋ２は、短縮により取得される情報ビットの数であり、（７２００−Ｋ２）は、短縮される情報ビットの数であり、
2011514049.tif 000002
であることを特徴とする請求項６に記載のチャネル符号化装置。
【請求項１１】
低密度パリティ検査（ＬＤＰＣ）符号を使用するシステムにおけるチャネル復号化方法であって、
受信された信号を復調するステップと、
短縮された情報ビットの位置を決定するステップと、
前記決定された短縮された情報ビットの位置を考慮して前記復調された信号を復号化するステップと、を有し、
前記短縮された情報ビットの位置を決定するステップは、
短縮された情報ビットの数を決定するステップと、
前記決定された短縮された情報ビットの数に基づいて短縮されたビットグループの数を決定するステップと、
予め定められたビットグループの順序を取得するステップと、を有することを特徴とするチャネル復号化方法。
【請求項１２】
前記短縮された情報ビットの数を決定するために短縮により取得される情報ビット数を決定するステップを更に有することを特徴とする請求項１１に記載のチャネル復号化方法。
【請求項１３】
変調方式が１６ＱＡＭであり、符号語の長さが１６２００である場合に、前記予め定められたビットグループの順序は、１８、１７、１６、１５、１４、１３、１２、１１、４、１０、９、８、７、３、２、１、６、５、１９、及び０であることを特徴とする請求項１１に記載のチャネル復号化方法。
【請求項１４】
変調方式が６４ＱＡＭであり、符号語の長さが１６２００である場合に、前記予め定められたビットグループの順序は、１８、１７、１６、４、１５、１４、１３、１２、３、１１、１０、９、２、８、７、１、６、５、１９、及び０であることを特徴とする請求項１１に記載のチャネル復号化方法。
【請求項１５】
ビットグループの長さが３６０であり、情報ビットの長さが７２００である場合に、
前記予め定められたビットグループの順序に従って０番目のビットグループから（ｍ−１）番目のビットグループまでのビットグループの情報ビットが短縮されたことに決定するステップと、
前記予め定められたビットグループの順序に従ってｍ番目のビットグループ内の（７２００−Ｋ２−３６０ｍ）情報ビットが短縮されたことに決定するステップと、を有し、
Ｋ２は、短縮により取得される情報ビットの数であり、（７２００−Ｋ２）は、短縮された情報ビットの数であり、
2011514049.tif 000003
であることを特徴とする請求項１１に記載のチャネル復号化方法。
【請求項１６】
低密度パリティ検査（ＬＤＰＣ）符号を使用するシステムにおけるチャネル復号化装置であって、
受信された信号を復調する復調器と、
短縮された情報ビットの位置を決定する短縮パターン決定部と、
前記決定された短縮された情報ビットの位置を考慮して前記復調された信号を復号化する復号化器と、を備え、
前記短縮された情報ビットの位置は、
短縮された情報ビットの数を決定し、前記決定された短縮された情報ビットの数に基づいて短縮されたビットグループの数を決定し、予め定められたビットグループの順序を取得することにより決定されることを特徴とするチャネル復号化装置。
【請求項１７】
前記短縮パターン適用部は、前記短縮された情報ビットの数を決定するために短縮により取得される情報ビット数を決定することを特徴とする請求項１６に記載のチャネル復号化装置。
【請求項１８】
変調方式が１６ＱＡＭであり、符号語の長さが１６２００である場合に、前記予め定められたビットグループの順序は、１８、１７、１６、１５、１４、１３、１２、１１、４、１０、９、８、７、３、２、１、６、５、１９、及び０であることを特徴とする請求項１６に記載のチャネル復号化装置。
【請求項１９】
変調方式が６４ＱＡＭであり、符号語の長さが１６２００である場合に、前記予め定められたビットグループの順序は、１８、１７、１６、４、１５、１４、１３、１２、３、１１、１０、９、２、８、７、１、６、５、１９、及び０であることを特徴とする請求項１６に記載のチャネル復号化装置。
【請求項２０】
ビットグループの長さが３６０であり、情報ビットの長さが７２００である場合に、
前記短縮パターン適用部は、前記予め定められたビットグループの順序に従って０番目のビットグループから（ｍ−１）番目のビットグループまでのビットグループの情報ビットが短縮されたことに決定し、前記予め定められたビットグループの順序に従ってｍ番目のビットグループ内の（７２００−Ｋ２−３６０ｍ）情報ビットが短縮されたことに決定し、
Ｋ２は、短縮により取得される情報ビットの数であり、（７２００−Ｋ２）は、短縮される情報ビットの数であり、
2011514049.tif 000004
であることを特徴とする請求項１６に記載のチャネル復号化装置。
【手続補正２】
【補正対象書類名】明細書
【補正対象項目名】発明の名称
【補正方法】変更
【補正の内容】
【発明の名称】低密度パリティ検査符号を使用するシステムにおけるチャネル符号化及び復号化の各方法並びにその装置
【手続補正３】
【補正対象書類名】明細書
【補正対象項目名】０００１
【補正方法】変更
【補正の内容】
【０００１】
本発明は、低密度パリティ検査（Ｌｏｗ−Ｄｅｎｓｉｔｙ  Ｐａｒｉｔｙ−Ｃｈｅｃｋ：以下、“ＬＤＰＣ”と称する。）符号を使用するシステムに関し、より詳細には、高次変調方式で与えられたＬＤＰＣ符号から様々な符号語の長さ及び符号率を有するＬＤＰＣ符号を生成するチャネル符号化及び復号化の各方法並びにその装置に関する。
【手続補正４】
【補正対象書類名】明細書
【補正対象項目名】００７７
【補正方法】変更
【補正の内容】
【００７７】
上記目的を達成するために、本発明の一態様によれば、低密度パリティ検査（ＬＤＰＣ）符号を使用するシステムにおけるチャネル符号化方法を提供する。前記方法は、情報ビットを複数のビットグループに区分するステップと、短縮される情報ビットの数を決定するステップと、前記決定された短縮される情報ビットの数に基づいて短縮されるビットグループの数を決定するステップと、予め定められた順序に従って前記決定されたビットグループの情報ビットを短縮するステップと、前記短縮された情報ビットを符号化するステップと、を有する。
【手続補正５】
【補正対象書類名】明細書
【補正対象項目名】００７８
【補正方法】変更
【補正の内容】
【００７８】
本発明の他の態様によれば、低密度パリティ検査（ＬＤＰＣ）符号を使用するシステムにおけるチャネル符号化装置を提供する。前記装置は、情報ビットを複数のビットグループに区分し、短縮される情報ビットの数を決定し、前記決定された短縮される情報ビットの数に基づいて短縮されるビットグループの数を決定し、予め定められた順序に従って前記決定されたビットグループの情報ビットを短縮する短縮パターン適用部と、前記短縮された情報ビットを符号化する符号化器と、を備える。
【手続補正６】
【補正対象書類名】明細書
【補正対象項目名】００７９
【補正方法】変更
【補正の内容】
【００７９】
本発明の他の態様によれば、低密度パリティ検査（ＬＤＰＣ）符号を使用するシステムにおけるチャネル復号化方法を提供する。前記方法は、受信された信号を復調するステップと、短縮された情報ビットの位置を決定するステップと、前記決定された短縮された情報ビットの位置を考慮して前記復調された信号を復号化するステップと、を有し、前記短縮された情報ビットの位置を決定するステップは、短縮された情報ビットの数を決定するステップと、前記決定された短縮された情報ビットの数に基づいて短縮されたビットグループの数を決定するステップと、予め定められたビットグループの順序を取得するステップと、を有する。
【手続補正７】
【補正対象書類名】明細書
【補正対象項目名】００８０
【補正方法】変更
【補正の内容】
【００８０】
本発明の他の態様によれば、低密度パリティ検査（ＬＤＰＣ）符号を使用するシステムにおけるチャネル復号化装置を提供する。前記装置は、受信された信号を復調する復調器と、短縮された情報ビットの位置を決定する短縮パターン決定部と、前記決定された短縮された情報ビットの位置を考慮して前記復調された信号を復号化する復号化器と、を備え、前記短縮された情報ビットの位置は、短縮された情報ビットの数を決定し、前記決定された短縮された情報ビットの数に基づいて短縮されたビットグループの数を決定し、予め定められたビットグループの順序を取得することにより決定される。
【手続補正８】
【補正対象書類名】明細書
【補正対象項目名】０１５０
【補正方法】変更
【補正の内容】
【０１５０】
【表１Ｂ】
2011514049.tif 000005
【手続補正９】
【補正対象書類名】明細書
【補正対象項目名】０１５３
【補正方法】変更
【補正の内容】
【０１５３】
【表１Ｃ】
2011514049.tif 000006